【事件の表示】
　特許第２７７４７３３号「始動電動機のシフトレバー支持装置」の特許に対する特許異議の申立てについて、次のとおり決定する。
【結論】
　訂正を認める。
　特許第２７７４７３３号の特許を維持する。
【理由】
第１．手続の経緯
　本件特許第２７７４７３３号は、平成４年３月３０日に特許出願され、平成１０年４月２４日に設定登録されたものであり、その後、特許異議の申立てがなされ、取消理由の通知がなされ、その指定期間内である平成１１年７月５日付けで願書に添付した明細書について訂正請求がなされたものである。
第２．請求の要旨
　上記訂正請求は、願書に添付した明細書（以下「特許明細書」という。）を訂正請求書に添付した訂正明細書のとおり訂正することを求めるものであるが、その要旨は、次の▲１▼〜▲５▼のとおりのものと認める。
　▲１▼特許請求の範囲の「【請求項１】上端部で電磁スイッチのフックに軸方向に係合し、二またになった下端部で、オーバランニングクラッチの環状係合溝に両側から軸方向に係合し、中間部を支点として回動され、上記オーバランニングクラッチを前進、後退させるシフトレバー、円柱状をなし、上下に開口する切込み溝が前端から軸方向に設けられ、この切込み溝に上記シフトレバーの中間部両側を挿入させた支持体、この支持体とシフトレバーの中間部を幅方向に貫通し、シフトレバーを回動自在に支持する結合ピン、及び上記支持体の後端に当て板を介し前端が当てられたゴム状パッキンを備え、電動機の前ブラケットに後方から軸方向に設けられ、上、下部が切欠かれた保持穴に上記支持体と、当て板及びパッキンを挿入保持し、パッキンの後端を電動機の中間ブラケット又は継鉄の後端で受止めた始動電動機のシフトレバー支持装置。」を、
「【請求項１】上端部で電磁スイッチのフックに軸方向に係合し、二またになった下端部で、オーバランニングクラッチの環状係合溝に両側から軸方向に係合し、中間部を支点として回動され、上記オーバランニングクラッチを前進、後退させるシフトレバー、円柱状をなし、上下に開口する切込み溝が前端から軸方向に設けられ、この切込み溝に上記シフトレバーの中間部両側を挿入させた合成樹脂からなる支持体、この支持体とシフトレバーの中間部を幅方向に貫通し、シフトレバーを回動自在に支持する結合ピン、及び上記支持体の後端に金属材からなる当て板を介し前端が当てられたゴム状パッキンを備え、電動機の前ブラケットに後方から軸方向に設けられ、上、下部が切欠かれた保持穴に上記支持体と、当て板及びパッキンを挿入保持し、パッキンの後端を電動機の中間ブラケット又は継鉄の前端で受止めた始動電動機のシフトレバー支持装置。」と訂正する。
　▲２▼特許明細書の段落【００１１】の「円柱状の支持体に、…前端で受止めたものである。」（特許公報第４欄第２６行目〜第４欄第３３行目参照）を、
　「円柱状の合成樹脂からなる支持体に、上下に開口する切込み溝を前端から設け、この切込み溝にシフトレバーの中間部両側を挿入し、これらに結合ピンを貫通させシフトレバーを回動自在に支持し、支持体の後端に金属材からなる当て板を介しゴム状パッキンを当て、これら支持体、当て板及びパッキンを前ブラケットの保持穴に挿入保持し、パッキンの後端を中間ブラケット又は継鉄の前端で受止めたものである。」と訂正する。
　▲３▼特許明細書の段落【００１２】の「パッキンの前端に…円滑に支持される。」（特許公報第４欄第３５行目〜第４欄第３９行目参照）を、
「パッキンの前端に金属材からなる当て板を介し、合成樹脂からなる支持体の後端が受けられており、支持体の切込み溝にシフトレバーの中間部を挿入し、結合ピンを通してあり、支持体は組込みにより変形することなく、シフトレバーは回動自在に円滑に支持される。」と訂正する。
　▲４▼特許明細書の段落【００１７】の「支持体４５はナイロンなど合成樹脂成形品の場合」（特許公報第５欄第３５行目〜第５欄第３６行目参照）を、
「支持体４５はナイロンなど合成樹脂成形品からなるので」と訂正する。
　▲５▼特許明細書の段落【００１９】の「円柱状の支持体に、…安定して支持される。」（特許公報第５欄第４４行目〜第６欄第８行目参照）を、
「円柱状の合成樹脂からなる支持体に、上下に開口する切込み溝を前端から設け、切込み溝にシフトレバーの中間部両側を挿入し、結合ピンを貫通させ回動自在に支持し、支持体の後端に金属材からなる当て板を介しゴム状パッキンを当て、上記支持体、当て板及びパッキンを前ブラケットの保持穴に挿入し、パッキンの後端を中間ブラケット又は継鉄の前端で受止めるようにしたので、部品数が減少し、支持体としての剛性を増すと共に金属材からなる当て板で支持体の変形を更に防止できるので、シフトレバーの回動に要する力を低減できると共に支持体にシフトレバーが回動自在に円滑に安定して支持される。」と訂正する。
第３．訂正の適否
１．訂正の目的の適否、新規事項及び拡張・変更の存否
　（１）上記訂正▲１▼は、「支持体」が「合成樹脂からなる」こと及び「当て板」が「金属材からなる」ことを構成要件として加えることにより、特許請求の範囲を減縮するとともに、「パッキンの後端」を電動機の中間ブラケット又は継鉄の「前端」で受止めたものであるとして、単なる誤記を訂正するものである。
　ここで、「支持体」が「合成樹脂からなる」ことは、特許明細書の段落【００１３】に「４０はナイロン（商品名）などの合成樹脂からなる円柱状の支持体で」（特許公報第４欄第４８〜５０行参照）と記載されている。また、「当て板」が「金属材からなる」点については、特許明細書の段落【００５】に「前端に金属材からなる当て板３８が当てられている。」（特許公報第３欄第３１〜３２行参照）と記載されており、更に「パッキンの後端」を電動機の中間ブラケット又は継鉄の「前端」で受止める点については、特許明細書の段落【００１１】に「パッキンの後端を中間ブラケット又は継鉄の前端で受止めたものである。」（特許公報第４欄第３２〜３３行参照）と記載されていると共に、段落【００１９】に「パッキンの後端を中間ブラケット又は継鉄の前端で受止めるようにしたので」（特許公報第６欄第５〜７行参照）と記載されているから、これらの訂正は、特許明細書に記載された事項の範囲内において行われるものと認められる。
　そして、「支持体」が「合成樹脂からなる」こと及び「当て板」が「金属材からなる」ことを構成要件として加える訂正は、シフトレバーを円滑に回動自在に支持体に支持するという、本件訂正請求前の請求項１に係る発明の目的を達成し、支持体としての剛性を増すと共に金属材からなる当て板で支持体の変形を防止することで、さらに円滑な回動を可能にするものであるから、実質上特許請求の範囲を拡張し又は変更するものではない。
　また、「パッキンの後端」を電動機の中間ブラケット又は継鉄の「前端」で受止めたものであるとする訂正は、特許明細書において前述のように、「パッキンの後端を中間ブラケット又は継鉄の前端で受止めたものである。」（段落【００１１】）と記載されていると共に、「パッキンの後端を中間ブラケット又は継鉄の前端で受止めるようにしたので」（段落【００１９】）と記載され、これらの記載に対応する構成が図面にも記載され、また、「パッキンの後端」を電動機の中間ブラケット又は継鉄の「後端」で受止めることは構成上不可能であるから、特許明細書の請求項１の「パッキンの後端を電動機の中間ブラケット又は継鉄の後端で受止めた」との記載は、「パッキンの後端を電動機の中間ブラケット又は継鉄の前端で受止めた」と記載して囲を拡張し又は変更するものではない。
（２）上記訂正▲２▼〜▲５▼は、訂正▲１▼の訂正に伴って、発明の詳細な説明の記載を特許請求の範囲の記載に整合させることを目的とするものであるから、明瞭でない記載の釈明を目的とするものである。
　そして、訂正▲５▼において、「支持体としての剛性を増すと共に金属材からなる当て板で支持体の変形を更に防止できるので、シフトレバーの回動に要する力を低減できると共に支持体にシフトレバーが回動自在に円滑に安定して支持される。」とする訂正は、「円柱状をなし、上下に開口する切込み溝が前端から軸方向に設けられた支持体」、「支持体とシフトレバーの中間部を幅方向に貫通する結合ピンによって、シフトレバーを回動自在に支持する」点、及び「支持体の後端に金属材からなる当て板を設ける」点等の特許明細書に記載されていた構成自体が備えていた作用効果を記載したものであり、特許明細書に記載されていた事項の範囲内における訂正と認められ、上記訂正▲２▼〜▲５▼も、特許明細書に記載された事項の範囲内における訂正であり、また、実質上特許請求の範囲を拡張し又は変更するものではない。
２．独立特許要件について
　（１）訂正明細書の請求項１に係る発明
　訂正明細書の請求項１に係る発明は、訂正明細書の特許請求の範囲の請求項１に記載された次のとおりのものと認める。
　「【請求項１】上端部で電磁スイッチのフックに軸方向に係合し、二またになった下端部で、オーバランニングクラッチの環状係合溝に両側から軸方向に係合し、中間部を支点として回動され、上記オーバランニングクラッチを前進、後退させるシフトレバー、円柱状をなし、上下に開口する切込み溝が前端から軸方向に設けられ、この切込み溝に上記シフトレバーの中間部両側を挿入させた合成樹脂からなる支持体、この支持体とシフトレバーの中間部を幅方向に貫通し、シフトレバーを回動自在に支持する結合ピン、及び上記支持体の後端に金属材からなる当て板を介し前端が当てられたゴム状パッキンを備え、電動機の前ブラケットに後方から軸方向に設けられ、上、下部が切欠かれた保持穴に上記支持体と、当て板及びパッキンを挿入保持し、パッキンの後端を電動機の中間ブラケット又は継鉄の前端で受止めた始動電動機のシフトレバー支持装置。」
（２）引用例
　前記取消理由通知に引用され、本件特許出願前に頒布された刊行物である特開昭５４−１５２７２３号公報（特許異議申立人が提出した甲第１号証、以下「引用例１」という。）、特開昭６２−２４８８７２号公報（特許異議申立人が提出した甲第２号証、以下「引用例２」という。）、特開昭６０−２５９７６９号公報（特許異議申立人が提出した甲第３号証、以下「引用例３」という。）には、それぞれ、以下の技術事項が記載されているものと認める。
　▲１▼引用例１
　上記引用例１には、
“上方の自由端部３１で電磁スイッチ１４の接続端部３３に軸方向に係合し、二またになったフォーク端部３５で、一方向クラッチ５の案内リング８及びストッパ板９に保持された連行板１１に両側から軸方向に係合し、ピン２３を支点として回動され、上記一方向クラッチ５を前進、後退させるシフトレバー２２、脚部２０によって上下に開口する切込み溝が前端から軸方向に形成される如く設けられ、この切込み溝に上記シフトレバー２２の中間部両側を挿入させたＵ字状のプラスチック製支承部分１９、シフトレバー２２の中間部に幅方向に形成され、シフトレバー２２を前記支承部分１９に回動自在に支持するピン２３、及び上記支承部分１９の案内つば２７が形成された後端を介し、前端が当てられたシール部分１７を備え、モータ１の駆動軸受け１５に後方から軸方向に設けられ、上、下部が切欠かれた切欠き１８に上記支承部分１９と、案内つば２７及びシール部分１７を挿入保持し、シール部分１７の後端を電動機のケーシング２の前端で受止めた始動電動機のシフトレバー支持装置、”
が記載されているものと認める。
　▲２▼引用例２
　上記引用例２には、
“Ｕ字状の係合部２ａで電磁スイッチ３のプランジャ４に軸方向に係合し、二またになった下端の押出部２ｂで、オーバランニングクラッチ５の環状係合溝に両側から軸方向に係合し、一対の突起部２ｃを支点として回動され、上記オーバランニングクラッチ５を前進、後退させるシフトレバー２、一対の腕部１ｂによって上下に開口する切込み溝が前端から軸方向に形成される如く設けられ、この切込み溝に上記シフトレバー２の中間部両側を挿入させた高分子合成樹脂材料のシフトレバーホルダ１、シフトレバー２の中間部に幅方向に設けられ、シフトレバー２をシフトレバーホルダ１に回動自在に支持する突起部２ｃ、及び上記シフトレバーホルダ１の後端に形成されたプレートｌｃに前端が当てられたゴム８を備え、モータのフロントハウジング６に後方から軸方向に設けられ、上、下部が切欠かれた空隙部に上記シフトレバーホルダ１と、プレート１ｃ及びゴム８を挿入保持し、ゴム８の後端を電磁スイッチ３とモータ部７の前端で受止めた始動電動機のシフトレバー支持装置、”
が記載されているものと認める。
　▲３▼引用例３
　上記引用例３には、
“シフトレバー１６を、コの字状の保持部材３２の両側面部３２ａ，３２ｂに設けた穴３２ｃに挿入した別体の支持ピン３３により、回動自在とすること”
が記載されているものと認める。
（３）対比・判断
　本件訂正明細書の請求項１に係る発明と引用例１に記載された発明とを、括弧内に引用例１に記載された表現を記載して、対比すると、
　両者は、
　上端部で電磁スイッチ（電磁スイッチ１４）のフック（接続端部３３）に軸方向に係合し、二またになった下端部で、オーバランニングクラッチ（一方向クラッチ５）の環状係合溝（案内リング８及びストッパ板９の間）に両側から軸方向に係合し、中間部を支点として回動され、上記オーバランニングクラッチ（一方向クラッチ５）を前進後退させるシフトレバー（シフトレバー２２）、上下に開口する切込み溝が前端から軸方向に設けられ、この切込み溝に上記シフトレバー（シフトレバー２２）の中間部両側を挿入させた合成樹脂（プラスチック）からなる支持体（支承部分１９）、シフトレバー（シフトレバー２２）の中間部を回動自在に支持する幅方向の結合ピン（ピン２３）、及び上記支持体（支承部分１９）の後端に前端が当てられたゴム状パッキン（シール部分１７）を備え、電動機（モータ１）の前ブラケット（駆動軸受け１５）に後方から軸方向に設けられ、上、下部が切欠かれた保持穴（切欠１８）に上記支持体（支承部分１９）と、パッキン（シール部分１７）を挿入保持し、パッキン（シール部分１７）の後端を電動機（モータ１）の中間ブラケット又は継鉄（ケーシング２）の前端で受止めた始動電動機のシフトレバー支持装置、
である点で一致するものの、引用例１に記載されたものは、本件訂正明細書の請求項１に係る発明の構成要件である
▲１▼支持体の形状が１円柱状」をなす点（以下「構成ａ」という。）、
▲２▼結合ピンが「支持体とシフトレバーの中間部を幅方向に貫通」する点（以下「構成ｂ」という。）、
▲３▼「上記支持体の後端に金属材からなる当て板を介し前端が当てられたゴム状パッキンを備え、電動機の前ブラケットに後方から軸方向に設けられ、上、下部が切欠かれた保持穴に上記支持体と、当て板及びパッキンを挿入保持し」の点（以下「構成ｃ」という。）
を備えていない。
　そこで、上記構成ａ，ｂ，ｃについて検討する。
　支持体の形状を全体として「円柱状」とすることは本件特許の出願前周知の事項にすぎず（実開昭５５−６９１４９号公報、実開昭５５−１７９６７号公報等参照）、上記構成ａは、当業者が容易に想到し得る事項と認められ、
　また、「支持体とシフトレバーの中間部を幅方向に貫通」するように結合ピンを設けることは上記引用例３に記載されており、上記構成ｂは、上記刊行物３に記載されたものに基づいて当業者が容易に想到し得るものと認められる。
　しかしながら、上記構成ｃについては、上記引用例のいずれにも記載されておらず、また、本件特許の出願前に周知の事項とも認められない。
　そして、訂正明細書の請求項１に係る発明は、支持体の前端から軸方向に上下に開口する切込み溝が設けられ、この切込み溝に上記シフトレバーの中間部両側を挿入させ、この支持体とシフトレバーの中間部を幅方向に貫通する結合ピンによって、シフトレバーを回動自在に支持しているので、支持体の剛性を高く構成できるとともに、上記構成ｃにより、「金属材からなる当て板で支持体の変形を更に防止できるので、シフトレバーの回動に要する力を低減できると共に支持体にシフトレバーが回動自在に円滑に安定して支持される。」等の作用効果を期待できるものである。
　したがって、本件訂正明細書の請求項１に係る発明は、上記引用例１〜３に記載された発明と同一の発明とすることも、上記引用例１〜３に記載された発明に基づいて当業者が容易に発明をすることができたものとすることもできない。
　また、他に、訂正明細書の請求項１に係る発明が、出願の際独立して特許を受けることができないものであるとする理由を発見しない。
３．むすび
　以上のとおりであるから、本件訂正請求は、特許法第１２０条の４第２項及び同条第３項の規定により準用する同法第１２６条第２〜４項の規定に適合するので、当該訂正を認める。
第４．特許異議申立について
１．特許異議申立ての理由
　特許異議申立ての理由は、本件請求項１に係る発明は、本件特許出願前に頒布された刊行物である特開昭５４−１５２７２３号公報（甲第１号証、上記引用例１）、特開昭６２−２４８８７２号公報（甲第２号証、上記引用例２）、特開昭６０−２５９７６９号公報（甲第３号証、上記引用例３）にそれぞれ記載された発明に基づいて当業者が容易に発明をすることができたものであるから、特許法第２９条第２項の規定に違反して特許されたものであるから、その特許は取り消されるべきものである、というものである。
２．本件特許の請求項１に係る発明
　上記「第３．訂正の適否」において記載したとおり、上記訂正が認められるので、本件請求項１に係る発明は、訂正明細書の特許請求の範囲の請求項１に記載したとおりのものと認める。
　そして、本件特許の請求項１に係る発明は、上記「２．独立特許要件について」で記載した理由により、特許異議申立人が提出した甲第１〜３号証に記載された発明と同一の発明とも、上記甲第１〜３号証に記載された発明に基づいて当業者が容易に発明をすることができたものともすることができない。
第５．むすび
　以上のとおりであるから、特許異議申立人が主張する理由及び提出した証拠によっては、本件特許の請求項１に係る発明についての特許を取り消すことはできない。
　また、他に本件特許の請求項１に係る発明についての特許を取り消すべき理由を発見しない。
　よって、結論のとおり決定する。
【異議決定日】
平成１１年８月２０日（１９９９．８．２０）
【訂正の要旨】
▲１▼特許請求の範囲の「【請求項１】上端部で電磁スイッチのフックに軸方向に係合し、二またになった下端部で、オーバランニングクラッチの環状係合溝に両側から軸方向に係合し、中間部を支点として回動され、上記オーバランニングクラッチを前進、後退させるシフトレバー、円柱状をなし、上下に開口する切込み溝が前端から軸方向に設けられ、この切込み溝に上記シフトレバーの中間部両側を挿入させた支持体、この支持体とシフトレバーの中間部を幅方向に貫通し、シフトレバーを回動自在に支持する結合ピン、及び上記支持体の後端に当て板を介し前端が当てられたゴム状パッキンを備え、電動機の前ブラケットに後方から軸方向に設けられ、上、下部が切欠かれた保持穴に上記支持体と、当て板及びパッキンを挿入保持し、パッキンの後端を電動機の中間ブラケット又は継鉄の後端で受止めた始動電動機のシフトレバー支持装置。」を、
　特許請求の範囲の減縮及び単なる誤記の訂正を目的として、
「【請求項１】上端部で電磁スイッチのフックに軸方向に係合し、二またになった下端部で、オーバランニングクラッチの環状係合溝に両側から軸方向に係合し、中間部を支点として回動され、上記オーバランニングクラッチを前進、後退させるシフトレバー、円柱状をなし、上下に開口する切込み溝が前端から軸方向に設けられ、この切込み溝に上記シフトレバーの中間部両側を挿入させた合成樹脂からなる支持体、この支持体とシフトレバーの中間部を幅方向に貫通し、シフトレバーを回動自在に支持する結合ピン、及び上記支持体の後端に金属材からなる当て板を介し前端が当てられたゴム状パッキンを備え、電動機の前ブラケットに後方から軸方向に設けられ、上、下部が切欠かれた保持穴に上記支持体と、当て板及びパッキンを挿入保持し、パッキンの後端を電動機の中間ブラケット又は継鉄の前端で受止めた始動電動機のシフトレバー支持装置。」と訂正する。
　▲２▼特許明細書の段落【００１１】の「円柱状の支持体に、…前端で受止めたものである。」（特許公報第４欄第２６行目〜第４欄第３３行目参照）を、
　明瞭でない記載の釈明を目的として、
「円柱状の合成樹脂からなる支持体に、上下に開口する切込み溝を前端から設け、こめ切込み溝にシフトレバーの中間部両側を挿入し、これらに結合ピンを貫通させシフトレバーを回動自在に支持し、支持体の後端に金属材からなる当て板を介しゴム状パッキンを当て、これら支持体、当て板及びパッキンを前ブラケットの保持穴に挿入保持し、パッキンの後端を中間ブラケット又は継鉄の前端で受止めたものである。」と訂正する。
　▲３▼特許明細書の段落【００１２】の「パッキンの前端に…円滑に支持される。」（特許公報第４欄第３５行目〜第４欄第３９行目参照）を、
　明瞭でない記載の釈明を目的として、
　「パッキンの前端に金属材からなる当て板を介し、合成樹脂からなる支持体の後端が受けられており、支持体の切込み溝にシフトレバーの中間部を挿入し、結合ピンを通してあり、支持体は組込みにより変形することなく、シフトレバーは回動自在に円滑に支持される。」と訂正する。
　▲４▼特許明細書の段落【００１７】の「支持体４５はナイロンなど合成樹脂成形品の場合」（特許公報第５欄第３５行目〜第５欄第３６行目参照）を、
　明瞭でない記載の釈明を目的として、「支持体４５はナイロンなど合成樹脂成形品からなるので」と訂正する。
　▲５▼特許明細書の段落【００１９】の「円柱状の支持体に、…安定して支持される。」（特許公報第５欄第４４行目〜第６欄第８行目参照）を、
　明瞭でない記載の釈明を目的として、
「円柱状の合成樹脂からなる支持体に、上下に開口する切込み溝を前端から設け、切込み溝にシフトレバーの中間部両側を挿入し、結合ピンを貫通させ回動自在に支持し、支持体の後端に金属材からなる当て板を介しゴム状パッキンを当て、上記支持体、当て板及びパッキンを前ブラケットの保持穴に挿入し、パッキンの後端を中間ブラケット又は継鉄の前端で受止めるようにしたので、部品数が減少し、支持体としての剛性を増すと共に金属材からなる当て板で支持体の変形を更に防止できるので、シフトレバーの回動に要する力を低減できると共に支持体にシフトレバーが回動自在に円滑に安定して支持される。」と訂正する。
（５４）【発明の名称】
始動電動機のシフトレバー支持装置
（５７）【特許請求の範囲】
　　【請求項１】　上端部で電磁スイッチのフックに軸方向に係合し、二またになった下端部で、オーバランニングクラッチの環状係合溝に両側から軸方向に係合し、中間部を支点として回動され、上記オーバランニングクラツチを前進、後退させるシフトレバー、円柱状をなし、上下に開口する切込み溝が前端から軸方向に設けられ、この切込み溝に上記シフトレバーの中間部両側を挿入させた
合成樹脂からなる
金属材からなる
【発明の詳細な説明】
　　　【０００１】
　　【産業上の利用分野】
　この発明は、回動によりオーバランニンダクラッチを前進、後退させるシフトレバーを、前ブラケットに回動可能に支持した、始動電動機のシフトレバー支持
装置に関する。
　　　【０００２】
　　【従来の技術】
　図６（Ａ）は従来のシフトレバーの支持装置を示す始動電動機の要部断面図で、図６（Ｂ）は（Ａ）図のＢ一Ｂ線における断面図である。直流電動機１の電機子から電機子軸２が出され、電機子軸２の前端部には小歯車からなる太陽歯車２ａが形成されている。３は界磁極（図示しない）を装着した継鉄、４は中間ブラケットで、軸受５を介し電機子軸２の前部側を支持している。６は中間ブラケット４を介し継鉄３に結合された前ブラケットである。７は電機子軸２の前端に鋼球１１を介し同軸
に
　　　【０００３】
　１３は遊星歯車減速装置で、次のように構成されている。１４は太陽歯車２ａにかみ合わされた複数の遊星歯車で、軸受１６を介し支持ピン１５に支持されている。支持ピン１５は出力軸７の後端のフランジ部からなるキャリヤ７ａに固着されている。１７は前ブラケット６に固定された内歯歯車枠で、内歯部１７ａが設けられ、かみ合った遊星歯車１４を公転運動させる。内歯歯車枠１７の前端部内周で、軸受１８を介し出力軸７の後端部を支持している。
　　　【０００４】
　２０は出力軸７に装着されたオーバランニングクラッチで、出力軸７にヘリカルスプラインで結合されたクラッチアウタ２１と、クラッチアウタ２１にローラ（図示しない）を介し一方向回転伝達するクラッチインナ２２とからなる。クラッチインチは軸受２４を介し前ブラケット６に支持され、軸受２５を介し出力軸７を支持している。クラッチアウタ２１の後端側外周に環状係合溝２１ｂが形成されている。２８はクラッチインナ２２の前端部に形成されたピニオンである。
　　　【０００５】
　３１は前ブラケット６に取付けられた電磁スイッチで、可動鉄心をなすプランジャ３２に挿入支持されたフック３３の前端部が出されている。３４は二またゐ上端の係合部３４ｂがフック３３に係合し、二またの下端の係合突起３４ｃがオーバランニングクラッチ２０の環状係合溝２１ｂに両側から軸方向に係合するシフトレバーである。シフトレバー３４の中間の両側に１対の半円柱状の支持体３５が当てられ、結合ピン３６が貫通している。３７は中間ブラケット４の前端に受止められたゴム材からなるパッキンで、前端に金属材からなる当て板３８が当てられている。この当て板３８と支持体３５との間に金属材又はナイロンからなるスペーサ３９がはめられている。これら、パッキン３７、当て板３８及びスペーサ３９は、図６（Ｂ）に示すように、前ブラケット６の保持宍６ａに挿入され保持されている。この保持穴６ａは前ブラケット６に後端からあけられ、上下部は切欠かれている。こうして、シフトレバー３４は結合ピン３６を中心として、回動可能に支持されている。
　　　【０００６】
　上記シフトレバー３４部を、図７に斜視図で示す。シフトレバー３４は鋼板をプレス加工して形成された１対のレバー材３４ａが中間部で溶接結合されている。シフトレバー３４の中間部両側に支持体３５が当てられ、結合ピン３６が貫通している。
　　　【０００７】
　次に動作を説明する。始動スイッチを入れると、電磁スイッチ３１の励磁コイル（図示しない）に通電され、プランジャ３２が内方に吸引後退され、フツク３３を介しシフトレバー３４が図で反時計方向に回動され、オーバランニングクラッチ２０を前進移動させる。これにより、ピニオン２８が機関のリングギヤにかみ合わされる。プランジャ３２の後退により可動接点が固定接点（いづれも図示しない）に圧接し、直流電動機１への通電回路を閉じる。これにより電機子が回転し、電機子軸２の回転が遊星歯車減速装置１３及びオーバランニングクラツチ２０を介し、ピニオン２８により機関のリングギヤを回転させ始動させる。
　　　【０００８】
　機関が始動し、始動スイッチを切ると電磁スイッチの励磁コイルの通電が断たれ、プランジャ３２の前進復帰で、直流電動機１への通電回路を開くとともに、シフトレバー３４が後退復帰し、オーバランニングクラツチ２０を後退復帰させる。
　　　【０００９】
　　【発明が解決しようとする課題】
　上記のような従来の始動電動機のシフトレバー装置では、シフトレバー３４を支持する部品数が多く、両側の支持体３５相互が片寄った状態で組付けられると、後方のパッキン３７による押圧で、シフトレバー３４の回動に要する力が大きくなるという問題点があった。
　　　【００１０】
　この発明は、上記のような問題点を解決するためになされたもので、シフトレバーを支持する部品数を減少し、シフトレバー３４の回動に要する力を低減し、その回動を容易にした始動電動機のシフトレバー支持装置を得ることを目的としている。
　　　【００１１】
　　【課題を解決するための手段】
　この発明にかかる始動電動機のシフトレバー支持装置は、円柱状の
合成樹脂からなる
金属材からなる
　　　【００１２】
　　【作用】
　この発明においては、パッキンの前端に
金属材からなる
合成樹脂からなる
　　　【００１３】
　　【実施例】
実施例１．
　図１（Ａ）及び（Ｂ）は、この発明の実施例１による始動電動機のシフトレバー支持装置を示す要部断面図及び（Ａ）図のＢ一Ｂ線における断面図であり、１〜７、１１、１３〜１８、２０〜２２、２４、２５、２８、３１〜３４、３６〜３８、２ａ、６ａ、１７ａ、２１ｂ、３４ｂ、３４ｃは図４と同様である。シフトレバー支持装置は、次のように構成されている。４０はナイロン（商品名）などの合成樹脂からなる円柱状の支持体で、上下に開口する切込み溝４０ａが前端から設けられ、切込み溝４０ａにシフトレバー３４の中間部両側を挿入し、ピン用穴４０ｂに結合ピン３６を貫通し回動可能に支持している。この支持体４０の後端に当て板３８を介しパッキン３７を当て、これらを前ブラケット６の保持穴６ａに挿入保持し、パッキン３７の後端を中間ブラケット４の前端で受止めている。
　　　【００１４】
　上記図１のシフトレバー３４の支持部品を、図２（Ａ）、（Ｂ）及び（Ｃ）に正面図、下面図及び側面図で示す。前端から切込み溝４０ａが設けられた支持体４０により、従来の１対の支持体３５とスペーサ３９とを一体に形成している。したがって、支持体４０の切込み溝４０ａにシフトレバー３４を挿入し、結合ピン３６で支持し、前ブラケット６の保持六６ａに挿入保持することにより、シフトレバー３４は円滑に回動自在に支持される。
　　　【００１５】
実施例２．
　図３（Ａ）及び（Ｂ）は、この発明の実施例２によるシフトレバー３４の支持部品の上半部を断面した正面図及び下面図である。支持体４１には前端から切込溝４１ａが設けられ、後端部中央に係合穴４１ｃが設けられている。金属材からなる当て板４２の中央には係合突部４２ａが設けられ、係合穴４１ｃ内に係合しており、双方の半径方向の位置ずれをなくしている。４１ｂはピン用穴である。
　　　【００１６】
実施例３．
　図４はこの発明の実施例３による支持部品の上半部を断面にした正面図である。パッキン４３の前端面の中央に係合突部４３ａが設けられ、支持体４１の係杏穴４１ｃに係合し、双方の半径方向の位置ずれをなくしている。当て板４４は、中央に穴４４ａがあけられ、係合突部４３ａを通している。
　　　【００１７】
実施例４．
　図５（Ａ）及び（Ｂ）は、この発明の実施例４による支持部品の正面図及び下面図である。支持体４５の前端には切込み溝４５ａ側にそれぞれ切欠き４５ｃが設けられている。４５ｂはピン用穴である。前ブラケット６の保持穴６ａの奥面には、両切欠き４５ｃに係合する突部６ｂが設けられている。支持体４５はナイロンなど合成樹脂成形品
からなるので
　　　【００１８】
　なお、上記実施例では中間ブラケット４の前端でパッキンの後端を受止めたが、中間ブラケットを設けない場合は、継鉄の前端で受止めるようにする。
　　　【００１９】
　　【発明の効果】
　以上のように、この発明によれば、円柱状の
合成樹脂からなる
金属材からなる
支持体としての剛性を増すと共に金属材からなる当て板で支持体の変形を更に防止できるので、シフトレバーの回動に要する力を低減できると共に
【図面の簡単な説明】
　　【図１】
　（Ａ）図はこの発明の実施例１による始動電動機のシフトルバー支持装置を示す要部断面図で、（Ｂ）図は（Ａ）図のＢ−Ｂ線における断面図である。
　　【図２】
　（Ａ）図、（Ｂ）図及び（Ｃ）図は図１（Ａ）のシフトレバーの支持部品の正面図、下面図及び側面図である。
　　【図３】
　（Ａ）図及び（Ｂ）図は、この発明の実施例２によるシフトレバーの支持部品の上半部を断面した正面図及び下面図である。
　　【図４】
　この発明の実施例３によるシフトレバーの支持部品の上半部を断面した正面図である。
　　【図５】
　（Ａ）図及び（Ｂ）図は、この発明の実施例４によるシフトレバーの支持部品の正面図及び下面図である。
　　【図６】
　（Ａ）図は従来の始動電動機のシフトレバー支持装置を示す要部断面図で、（Ｂ）図は（Ａ）図のＢ−Ｂ線における断面図である。
　　【図７】
　図６（Ａ）の支持体を結合したシフトレバーの斜視図である。
　　【符号の説明】
　１　　直流電動機
　３　　継鉄
　４　　中間ブラケット
　６　　前ブラケット
６ａ　　保持穴
２０　　オーバランニングクラッチ
２１ｂ　環状係合溝
３１　　電磁スイッチ
３３　　フック
３４　　シフトレバー
３６　　結合ピン
３７、４３　ゴム状パッキン
３８、４２、４４　当て板
４０、４１、４５　支持体
４０ａ、４１ａ、４５ａ　切込み溝